(57)【要約】【課題】ドレンパンのメンテナンス性の向上と静粛性とを両立させた送風装置を得ること。【解決手段】送風装置５０は、ファン側吸気口７及びモータ側吸気口８と排気口とを備えた遠心送風機２２と、底面３ｄを有する箱状であり、遠心送風機２２を収容し、吸込口５と吐出口６と、吸込口５と遠心送風機２２のファン側吸気口７及びモータ側吸気口８との間に跨がる吸気風路７１を備え、底面３ｄのうち吸気風路７１上の部分に底面３ｄを貫通するドレン穴１０が形成されている外側ケーシング３と、外側ケーシング３の下方にドレン穴１０に対向して設置されたドレンパンと、底面３ｄに設置されて、底面３ｄとの間に隙間を有する状態でドレン穴１０を覆うドレンカバー１６とを備える。【選択図】図２
2020197195.tif 000002
【特許請求の範囲】
【請求項１】
吸気口と排気口とを備えた遠心送風機と、
底面を有する箱状であり、前記遠心送風機を収容し、吸込口と吐出口と、前記吸込口と前記遠心送風機の吸気口との間に跨がる吸気風路を備え、底面のうち前記吸気風路上の部分に前記底面を貫通するドレン穴が形成されている箱体と、
前記箱体の下方に前記ドレン穴に対向して設置されたドレンパンと、
前記底面に設置されて、前記底面との間に隙間を有する状態で前記ドレン穴を覆うドレンカバーとを有することを特徴とする送風装置。
【請求項２】
前記ドレンカバーは、前記底面に固定される固定部と、前記ドレン穴を覆う遮蔽部と、前記固定部と前記遮蔽部とを繋ぐ段差部とを備え、
前記遮蔽部は、前記固定部の前記底面に接する面に垂直な方向において前記固定部と離れていることを特徴とする請求項１に記載の送風装置。
【請求項３】
前記ドレンカバーは、前記箱体の内部に設置されていることを特徴とする請求項１又は２に記載の送風装置。
【請求項４】
前記ドレンカバーは、前記箱体の外部に設置されていることを特徴とする請求項１又は２に記載の送風装置。
【請求項５】
前記ドレンカバーは、前記箱体の内部及び外部の両方に設置されていることを特徴とする請求項１又は２に記載の送風装置。
【発明の詳細な説明】
【技術分野】
【０００１】
本発明は、箱体内に遠心送風機を組み込んだ送風装置に関する。
【背景技術】
【０００２】
浴室又は厨房といった高湿度の空間を換気する装置には、遠心式送風機を装備した送風装置が用いられることがある。このような送風装置は、遠心式ファンと、遠心式ファンを収容するファンケーシングと、遠心式ファンを駆動する電動機とを有する遠心送風機が、箱体内に組み込まれて構成される。また、高湿度の空間から送風装置に流入する空気には多量の水蒸気が含まれるため、結露によりドレン水が発生することがある。したがって、高湿度の空間を換気する送風装置には、ドレン水を排出するドレン排水機構が設けられている。
【０００３】
ドレン排水機構を備えた送風装置において、送風装置内部のドレン穴が詰まってしまった場合、内部にドレン水が溜まり続けてしまうため、ドレンパンと称されるドレン水を溜める部材が設置される。また、ドレン排水機構を備えた送風装置は、メンテナンス可能なように箱体の底面を取り外せる構造にすることが一般的である。しかし、箱体の底面がドレンパンを兼ねる場合、通常運転時に箱体とドレンパンとの固定面から空気が漏れないように、ドレンパンと箱体との結合を全周にわたって複数箇所で行う必要があり、メンテンナンス時に両者を容易に分解できなくなってしまう。また、ドレンパンを外すことと、箱体の底面を外すこととが同義であるため、ドレンパン清掃時に箱体内部の汚れが底面を外した部分を通して送風装置外に落ちてしまうというリスクが想定される。
【０００４】
特許文献１には、ドレンパンと箱体底面とを別部品とし、箱体の底面に数カ所のドレン穴を設け、さらに底面にレール状の部材を固定し、レール状の部材に嵌合するようにドレンパンを備えた送風装置が開示されている。特許文献１に開示される送風装置は、底面の下方にドレンパンが設置され、ドレン穴から漏れるドレン水をドレンパンで受ける構造である。特許文献１に開示される送風装置のようにドレンパンと箱体の底面とが別部品であり、メンテナンス時に底面を外す必要がなければ、ドレンパンと箱体とは簡易的に固定されていればよく、レール構造のようにメンテナンス性を重視した構造にすることができ、ドレンパン清掃時でも箱体底面のドレン穴を塞ぐという処置だけで、箱体内部の汚れが送風装置外に落ちてしまうリスクも解決できる。
【先行技術文献】
【特許文献】
【０００５】
【特許文献１】特開２００５−９８６５３号公報
【発明の概要】
【発明が解決しようとする課題】
【０００６】
特許文献１に開示される送風装置は、箱体の底面に設けたドレン穴がドレンパンに覆われているが、ドレンパンと箱体の底面との間にはドレン水を溜めるための空間が存在するため、ドレンパンに覆われた空間にドレン穴を通じて漏れ出た通風音は、ドレンパンで反射されても箱体内には戻らない。また、ドレンパンを容易に箱体に着脱できるように簡易的に箱体に固定すると、ドレンパンと箱体との固定部には隙間が生じることになり、ドレンパンに覆われた空間にドレン穴を通じて漏れ出た通風音は、ドレンパンと箱体との隙間から送風装置外に漏れてしまい、静粛性が低下してしまう。
【０００７】
本発明は、上記に鑑みてなされたものであって、ドレンパンのメンテナンス性の向上と静粛性とを両立させた送風装置を得ることを目的とする。
【課題を解決するための手段】
【０００８】
上述した課題を解決し、目的を達成するために、本発明は、吸気口と排気口とを備えた遠心送風機を有する。本発明は、底面を有する箱状であり、遠心送風機を収容し、吸込口と吐出口と、吸込口と遠心送風機の吸気口との間に跨がる吸気風路を備え、底面のうち吸気風路上の部分に底面を貫通するドレン穴が形成されている箱体を有する。本発明は、箱体の下方にドレン穴に対向して設置されたドレンパンと、底面に設置されて、底面との間に隙間を有する状態でドレン穴を覆うドレンカバーとを有する。
【発明の効果】
【０００９】
本発明によれば、ドレンパンのメンテナンス性の向上と静粛性とを両立させた送風装置を得られるという効果を奏する。
【図面の簡単な説明】
【００１０】
【図１】本発明の実施の形態１に係る送風装置の外観を示す側面図
【図２】実施の形態１に係る送風装置の断面図
【図３】実施の形態１に係る送風装置の外側ケーシングとドレンパンとの係合部の模式図
【図４】実施の形態１に係る送風装置のドレンカバーを取り付けた部分の上面図
【図５】実施の形態１に係る送風装置のドレンカバーを取り付けた部分の断面図
【図６】実施の形態１に係る送風装置のドレンカバーを取り付けた部分の斜視図
【図７】実施の形態１に係る送風装置のドレンカバーの作用を模式的に示す図
【図８】実施の形態１に係る送風装置の騒音分析結果を示す図
【図９】本発明の実施の形態２に係る送風装置の断面図
【図１０】実施の形態２に係る送風装置のドレンカバーを取り付けた部分の上面図
【図１１】実施の形態２に係る送風装置のドレンカバーを取り付けた部分の断面図
【図１２】本発明の実施の形態３に係る送風装置のドレンカバーを取り付けた部分の上面図
【図１３】実施の形態３に係る送風装置のドレンカバーを取り付けた部分の断面図
【発明を実施するための形態】
【００１１】
以下に、本発明の実施の形態に係る送風装置を図面に基づいて詳細に説明する。なお、この実施の形態によりこの発明が限定されるものではない。
【００１２】
実施の形態１．
図１は、本発明の実施の形態１に係る送風装置の外観を示す側面図である。図２は、実施の形態１に係る送風装置の断面図である、図２は、図１中のII−II線に沿った断面を示す。実施の形態１に係る送風装置５０は、建物の天井裏の空間に設置されて、天井裏に設けられたダクト１２がダクト接続部品９を介して外側ケーシング３に取り付けられる。外側ケーシング３は、底面３ｄを有する箱体である。送風装置５０は、室内の空気を吸い込み、室外へ排気して換気を行う。
【００１３】
送風装置５０は、外側ケーシング３の内部に、遠心送風機２２が収納されている。遠心送風機２２のスクロールケーシング２の中には、遠心送風機２２のファンである羽根車４とモータ１の一部とが設置されている。羽根車４がモータ１によって駆動されることで、図２中の矢印で示す作動流体流れ２０のように、吸込口５及び外側ケーシング吸込口３ａを通じて外側ケーシング３に空気が流入する。外側ケーシング３に流入した空気は、スクロールケーシング２の手前で２方向に分岐され、それぞれ遠心送風機２２の吸気口であるファン側吸気口７及びモータ側吸気口８からスクロールケーシング２に吸い込まれ、遠心送風機２２の排気口を兼ねる外側ケーシング排気口３ｂを介して、吐出口６から吹き出される。このように、外側ケーシング３は、遠心送風機２２の吸気口であるファン側吸気口７及びモータ側吸気口８と吸込口５との間に跨がる吸気風路７１を備えている。
【００１４】
外側ケーシング３には、吸気風路７１の部分において底面３ｄを貫通するドレン穴１０が設けられている。外側ケーシング３の下方には、ドレン穴１０に対向してドレンパン１４が設置されている。外側ケーシング３内で発生したドレン水は、ドレン穴１０を通じてドレンパン１４の上に落下する。ドレンパン１４には、ドレン排水口１５が配置されており、外側ケーシング３の内部のドレン水は、ドレン排水口１５を通る。ドレン排水管１３は、ドレン排水口１５に取り付けられ、ドレンパン１４内に溜まったドレン水を排水する。
【００１５】
図３は、実施の形態１に係る送風装置の外側ケーシングとドレンパンとの係合部の模式図である。外側ケーシング３の下部には、溝状のガイド部３１が設けられている。また、ドレンパン１４の端部には、凸条部１４１が設けられている。凸条部１４１をガイド部３１に挿入してドレンパン１４をスライドさせることにより、ドレンパン１４を外側ケーシング３に取り付けることができる。また、外側ケーシング３に取り付けられているドレンパン１４をスライドさせることにより、外側ケーシング３からドレンパン１４を取り外すことができる。ドレンパン１４が外側ケーシング３の外部に取り付けられるため、ドレンパン１４の取り外しといったメンテナンス作業は容易に行うことができる。また、ドレンパン１４を取り外しても外側ケーシング３の底面３ｄが残るため、外側ケーシング３内部の汚れが外側ケーシング３の外部に落ちることは防止される。
【００１６】
図４は、実施の形態１に係る送風装置のドレンカバーを取り付けた部分の上面図である。図４は、図２中のＡ部を拡大して図示している。図５は、実施の形態１に係る送風装置のドレンカバーを取り付けた部分の断面図である。図５は、図４中のV-V線に沿った断面を示している。図６は、実施の形態１に係る送風装置のドレンカバーを取り付けた部分の斜視図である。外側ケーシング３の内部には、ドレンカバー１６が設置されてドレン穴１０が覆われている。ドレンカバー１６は、底面３ｄに固定される固定部１６１と、ドレン穴１０を覆う遮蔽部１６２と、固定部１６１と遮蔽部１６２とを繋ぐ段差部１６３とを備える。遮蔽部１６２は、固定部１６１の底面３ｄに接する面に垂直な方向において固定部１６１と離れている。したがって、固定部１６１を底面３ｄに固定した時には、底面３ｄと遮蔽部１６２との間には隙間が生じる。ドレンカバー１６は、底面３ｄにねじ４０によってねじ止め固定される。なお、図２に示した送風装置５０は、底面３ｄに二つ設けられているドレン穴１０のうち一方だけをドレンカバー１６で覆っているが、全てのドレン穴１０をドレンカバー１６で覆ってもよい。
【００１７】
図７は、実施の形態１に係る送風装置のドレンカバーの作用を模式的に示す図である。送風装置５０内で発生する通風音１７は、作動流体流れ２０の速度が大きい箇所が主音源であり、一般的には遠心送風機２２である。遠心送風機２２で発生した通風音１７は、放射状に広がり、送風装置５０から発せられる騒音となる。ドレンカバー１６がなければドレン穴１０から直に通風音１７が出てしまうが、ドレンカバー１６により外側ケーシング３と同様の遮音性が確保できることで、静粛性を維持できる。また、ドレンカバー１６とドレン穴１０の隙間によりドレン水１８は隙間を通ってドレン穴１０から排出されるため、ドレン穴１０の排水機能を損ねることはない。
【００１８】
図８は、実施の形態１に係る送風装置の騒音分析結果を示す図である。図８に示す騒音の音圧は、各周波数成分の合算値であり、実施の形態１に係る送風装置５０は３５．５ｄＢ、実施の形態１に係る送風装置５０からドレンカバー１６を取り除いた送風装置は３８ｄＢ、実施の形態１に係る送風装置５０からドレンカバー１６とドレン穴１０とドレンパン１４とを取り除いた排水機能を有していない送風装置は３５ｄＢの騒音が発生している。実施の形態１に係る送風装置５０と、実施の形態１に係る送風装置５０からドレンカバー１６とドレン穴１０とドレンパン１４とを取り除いた排水機能を有していない送風装置とは、発生させる騒音がほぼ同等である。すなわち、実施の形態１に係る送風装置５０は、ドレン水の排水機能を備えるとともに、外側ケーシングにドレン穴が形成されていない送風装置と同等の静粛性を維持できていることがわかる。
【００１９】
実施の形態１に係る送風装置５０は、外側ケーシング３の底面３ｄの下方にスライド可能にドレンパン１４を設置し、底面３ｄのドレン穴１０には直接接触しないドレンカバー１６でドレン穴１０を覆うため、ドレンパン１４のメンテナンス性の向上と静粛性とを両立させることができる。
【００２０】
実施の形態２．
図９は、本発明の実施の形態２に係る送風装置の断面図である。図１０は、実施の形態２に係る送風装置のドレンカバーを取り付けた部分の上面図である。図１０は、図９中のＢ部を拡大して図示している。図１１は、実施の形態２に係る送風装置のドレンカバーを取り付けた部分の断面図である。図１１は、図１０中のXI-XI線に沿った断面を示している。なお、実施の形態１と同様の構成については、同じ符号を付して詳細な説明は省略する。
【００２１】
実施の形態２に係る送風装置５０は、外側ケーシング３の外部にドレンカバー１６が設置されている。
【００２２】
実施の形態２に係る送風装置５０は、外側ケーシング３の外部にドレンカバー１６が設置されているため、ドレンカバー１６と外側ケーシング３の底面３ｄとの隙間の清掃を容易に行える。
【００２３】
実施の形態３．
図１２は、本発明の実施の形態３に係る送風装置のドレンカバーを取り付けた部分の上面図である。図１３は、実施の形態３に係る送風装置のドレンカバーを取り付けた部分の断面図である。図１３は、図１２中のXIII-XIII線に沿った断面を示している。なお、実施の形態１と同様の構成については、同じ符号を付して詳細な説明は省略する。
【００２４】
実施の形態３に係る送風装置５０は、底面３ｄの両面にドレンカバー１６が取り付けられている。すなわち、実施の形態３に係る送風装置５０は、外側ケーシング３の外部と内部の両方にドレンカバー１６が設置されている。
【００２５】
実施の形態３に係る送風装置５０は、外側ケーシング３の内部及び外部の両方にドレンカバー１６を設置しているため、ドレンカバー１６と底面３ｄとの間の隙間を通ってドレン穴１０から外側ケーシング３の外部へ漏れ出る騒音を、実施の形態１に係る送風装置５０よりも小さくできる。
【００２６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２７】
１  モータ、２  スクロールケーシング、３  外側ケーシング、３ａ  外側ケーシング吸込口、３ｂ  外側ケーシング排気口、３ｄ  底面、４  羽根車、５  吸込口、６  吐出口、７  ファン側吸気口、８  モータ側吸気口、９  ダクト接続部品、１０  ドレン穴、１２  ダクト、１３  ドレン排水管、１４  ドレンパン、１５  ドレン排水口、１６  ドレンカバー、１７  通風音、１８  ドレン水、２０  作動流体流れ、２２  遠心送風機、３１  ガイド部、４０  ねじ、５０  送風装置、７１  吸気風路、１４１  凸条部、１６１  固定部、１６２  遮蔽部、１６３  段差部。
【図１】
2020197195.tif 000003
【図２】
2020197195.tif 000004
【図３】
2020197195.tif 000005
【図４】
2020197195.tif 000006
【図５】
2020197195.tif 000007
【図６】
2020197195.tif 000008
【図７】
2020197195.tif 000009
【図８】
2020197195.tif 000010
【図９】
2020197195.tif 000011
【図１０】
2020197195.tif 000012
【図１１】
2020197195.tif 000013
【図１２】
2020197195.tif 000014
【図１３】
2020197195.tif 000015